(57)【要約】【課題】用途に対し、最適な太さのストレート繊維を穂先に最適なテーパー形状に即応加工することを可能とし、均一な品質で使用特性の良好なブラシまたは筆を安価に提供可能とする。【解決手段】結束された繊維の基部が柄または軸の前方部に植設されるブラシまたは筆用の穂で、その穂先が柄または軸の前端より３０ｍｍ以内で突出されるものに於いて、前記穂を構成する個々の繊維の先端部がテーパー形状に先鋭加工されると共に、個々の繊維の基部がテーパー形状に加工されていないことを特徴とする。【選択図】　　　　　　図３
2004065783.tif 000002
【特許請求の範囲】
【請求項１】
結束された繊維の基部が柄または軸の前方部に植設されるブラシまたは筆用の穂で、その穂先が柄または軸の前端より３０ｍｍ以内で突出されるものに於いて、
前記穂を構成する個々の繊維の先端部がテーパー形状に先鋭加工されると共に、個々の繊維の基部がテーパー形状に加工されていないことを特徴とするブラシまたは筆用の穂。
【請求項２】
基部後端面が柄または軸の前端から後方５ｍｍ以上の深さに位置されると共に、基部後端面から前方５ｍｍの位置と柄または軸の前端より突出した３ｍｍ位置の間に、先端部がテーパー形状に先鋭加工される基点が設定されてなる請求項１に記載のブラシまたは筆用の穂。
【発明の詳細な説明】
【０００１】
【発明の属する技術分野】
本発明はブラシまたは筆用の穂を構成する繊維のテーパー形状を用途に最適な形状に任意に設定することによって最適な使用特性を付与するもであり、詳細には化粧用のリップブラシ、アイシャドウブラシ、マニキュアブラシ、また、筆ペン、ペイントブラシ等に利用される穂の形状に関するものである。
【０００２】
【従来の技術】
従来、書道の筆や絵画用ブラシ、ペイントブラシ、化粧用ブラシ等の穂は狸、馬、山羊、その他獣毛を素材として製作され、また、近年はポリブチレンテレフタレート等の合成繊維をテーパー形状に加工したものを素材として製作されている。
天然素材である獣毛は毛先端部に向かってテーパー形状に細くなっており、また、テーパー形状に加工されたポリブチレンテレフタレート等の合成繊維も先端に向かって細くなっている。
この先端が細くなった獣毛やテーパー形状に加工されたポリブチレンテレフタレート繊維の先端を基準として所定の量に小分けし、所定の長さに結束して、柄に取り付ければ、筆記具としては細いラインを描くのに良好な穂先形状となる。その特性を活用したものとしては書道の筆や筆ペン、面相筆、化粧用のアイライナー筆等がある。
また、同様の方式で製作されるものとしてブラシがあり、ブラシの穂先先端が細くなったテーパー形状繊維の末端である為、ブラシとして柔らかい触感が得られ、糸目を残さない任意の広さに塗る画筆や化粧用のリップブラシ、ほお刷毛等がある。
【０００３】
従来の技術はテーパー形状の獣毛やテーパー形状のポリブチレンテレフタレート繊維を二次加工して穂先にすることを前提にしている。
即ち、従来の技術で製作されるブラシまたは筆等は、原毛商や合繊繊維メーカーから素材の獣毛やテーパー形状のポリブチレンテレフタレート繊維を購入して、労働集約的な作業によって、用途に対応したブラシまたは筆の毛量、繊維量に小分けして穂に加工されるが、あくまで供給される素材の獣毛やテーパー形状のポリブチレンテレフタレート繊維に合わせて穂先を製作しなければならない。
この為、本来、求める用途に最適な穂先が得られない上、与えられた穂を基準として筆軸や容器を製作しなければならない為、商品として求めるデザイン等に制約が発生する。
例えばブラシの場合、使用性の良好な穂先のボリュームを確保すると、穂先後方の基部を取り付ける柄または軸の太さが太くなり、更には穂先を装填する瓶の口径が大きくなる。結果としてキャップの口径も大きくなって、商品としてのデザインがまとまらなくなる問題がある。
また、従来のテーパー形状のポリブチレンテレフタレート繊維で製作したブラシまたは筆のように、テーパー形状に細くなった先端を基準として穂先を製作すると、テーパー形状の繊維のテーパー部途中を結束して穂先にする為、柄や軸より突き出た穂先部の必要太さを確保する必要性から結束部が更に太くなってしまう。
この為、従来技術では薄いテーパー形状の金属パイプに穂先を植毛して柄や軸に接合接着して柄や軸が太くならないように工夫している。
しかしながら、デザイン上から必要とされる柄や軸の太さに無理に収められる傾向になって、穂先ボリュームが不足する等の問題が起きている。
更に分別収集等のゴミ対策の観点から見ても、プラスチック容器の中に金属パイプが混ざっていることは地球エコロジーの観点から許されなくなっている。
【０００４】
また、商品としてのデザインと使用性を得る為の穂先ボリュームを確保する方法として薄い金属パイプに穂先を装填接着後、筆軸に組み付ける方式等が採用されているが、穂先の使用性も満足いく状態に至らず、デザイン上の制約が解消されたわけではない。また、素材が天然の獣毛や不均一なテーパー形状のポリブチレンテレフタレートを素材とする為、生産を労働集約的な手作業に頼らざるを得なく、工業化社会の現代においても機械化が困難である為、化粧用のリップブラシ、アイシャドウブラシ、マニキュアブラシ、また、筆ペン、ペイントブラシ等、用途に適した仕様形状の穂を安価で、且つ即応できない状況にある。
【０００５】
なお、化粧刷毛やマニキュアブラシ等の一部には柄にストレート繊維の束を植毛した後、機械的に繊維を研磨してテーパー形状の穂先に加工する技術は実用化されているが、化粧刷毛においては穂先の束が太い為、最大でも柄より突き出た穂先全長に対して、穂先先端より穂先全長の半分程度テーパー形状に加工できるに過ぎない。また、化粧刷毛のようにパウダーを頬に塗る程度のブラシでは、これでも触感が良好になってそれなりに機能するが、アイライナー筆、リップ筆、画筆等の要求機能を満たすに至っていない。
また、マニキュアブラシの場合は、植設された繊維先端の角を研磨して丸くして、爪に塗られたマニキュア液の糸目を無くする目的の加工に過ぎない。
【０００６】
【発明が解決しようとする課題】
柄または軸に取り付けられた小ブラシ、小筆に属するものには繊細なラインを描く機能や、しなやかに塗る機能、及び用途に合致するブラシ、筆としての使用剛性が特に求められる。つまり、小さなブラシまたは筆の場合は、構成する個々の繊維が一体となってまとまり、使用者が要求する繊細な感触で面を塗ったり、細い線を描写する機能が要求される。
このように、小さなブラシまたは筆には、計測器で計数化が不可能なレベルの微細な使用特性が求められているが、現在まで満足のいく小さなブラシまたは筆が提供されているとは言い難い状況にある。
従来のブラシや筆の製作方法では、天然のテーパー形状である獣毛やテーパー形状に加工されたポリブチレンテレフタレート繊維の細い先端を基準にして、それぞれの用途に適した所定長さのブラシや筆に加工している。
その為、ブラシに製作しても用途に適したブラシ使用性能が得られない為に異種の獣毛を混毛して使用特性が得られるように工夫したりしている。
また、テーパー形状に加工されたポリブチレンテレフタレートを素材としてブラシや筆を製作する場合は、太さの異なるテーパ形状繊維を混ぜ合わせてブラシや筆に加工している。
【０００７】
そこで、本発明の課題は、予め素材としてある獣毛や、予め所定のテーパー形状に加工されたポリブチレンテレフタレート繊維に合わせて、用途に必要な使用特性のブラシや筆に加工するのではなく、用途に最適な太さのストレート繊維を結束した後、穂を構成する繊維のテーパー形状をそれぞれの用途に最適な仕様形状の穂先に即応加工することを可能として、均一な品質でブラシまたは筆用の穂を安価に提供することにある。
【０００８】
【課題を解決するための手段】
本発明は、上記課題を達成する為に以下の構成を有する。
請求項１に記載の発明に係るブラシまたは筆用の穂は、結束された繊維の基部が柄または軸の前方部に植設されるブラシまたは筆用の穂で、その穂先が柄または軸の前端より３０ｍｍ以内で突出されるものに於いて、
前記穂を構成する個々の繊維の先端部がテーパー形状に先鋭加工されると共に、個々の繊維の基部がテーパー形状に加工されていないことを特徴とする。
【０００９】
請求項２に記載の発明に係るブラシまたは筆用の穂は、請求項１に記載のブラシまたは筆用の穂に於いて、
基部後端面が柄または軸の前端から後方５ｍｍ以上の深さに位置されると共に、基部後端面から前方５ｍｍの位置と柄または軸の前端より突出した３ｍｍ位置の間に、先端部がテーパー形状に先鋭加工される基点が設定されてなる。
【００１０】
【発明の実施の形態】
本発明はブラシまたは筆に適当量の束に小分けしたストレート繊維束を、予め穂先の所定の長さに切断して端面を結束固定する。
つまり、テーパー形状でない穂を製作し、その後、穂の先端部を用途に適当な長さのテーパー形状に加工することに特長がある。
すなわち、本発明では、ブラシや筆の素材としてテーパー形状に加工されたポリブチレンテレフタレート繊維や獣毛のようなテーパー形状の繊維を二次加工して穂先を製作するのではなく、ブラシや筆の特性に適合した太さの繊維を任意に選定して、ブラシまたは筆の全長に合わせて切断し、ストレート繊維束の製作後、個々の繊維をテーパー状に加工して、使用用途に最適な穂先を製作する。
繊維の太さと穂先先端からのテーパー形状の長さを組み合わせることによって、それぞれの用途に適当な柔らかさの使用性の良好なブラシや筆の提供が可能となる。本発明は従来の技術では不可能であった使用性に最適な穂先を得る為、ブラシや筆の素材となる繊維のテーパー形状を任意に設計製作して、用途別に最適な穂を均一な品質で安価に、大量に、更に仕様に即応して提供することが可能となる。なお、この穂先を製作する手段としては、特開平９−１０３９４６「合成樹脂製繊維の先端加工方法及び先端加工用回転研磨摺擦体」等の技術が利用可能である。
【００１１】
【実施例】
実施例を説明するに当たり、従来の問題点に係る構造を概説する。
図５は従来の技術で筆の穂にする為、テーパー形状に加工されたポリブチレンテレフタレート繊維束を筆相当量のボリュームの穂１にした状態を示している。
また、穂１の後端部２は太いテーパー状となっている。
穂先先端３はもっとも微細に細く加工された穂先の先端部であり、一点に繊維が収束された状況にある。
図６は前記テーパー形状に加工されたポリブチレンテレフタレート繊維１本を拡大図示したものである。
その繊維４の先端部６は微細に細くテーパー形状に細くなっており、また繊維４の後端部５は太く緩やかなテーパー形状を呈している。
【００１２】
図７は穂１の後端部２を切断除去して穂先７とし、穂先７の後端部である穂先基部８を溶着あるいは接着等によって結束（結束部１２）して、該穂先７を金属パイプ１６に装填し、更に金属パイプ１６を軸１０に接合すると共に接着剤等によって固定した状態を示している。また、穂先７の収束された先端部９は一点に針状に収束されている。
また、一番太い部分となる穂先基部８の径と穂先基部８から穂先の先端部９までの長さに対し、金属パイプ前端から突出する穂先の出寸法によって金属パイプ先端１５の径が決定される。
【００１３】
本来、ブラシまたは筆のボリュームが決定されて使用性が確定される。
従来、金属パイプ１６が採用されているのは、薄くて穂先保持強度が確保され、更に穂先ボリュームを最大限太くすることを期待しているが、ブラシや筆として必要な穂先ボリュームを確保するにはほど遠い状況にある。
つまり、テーパー形状に加工されたポリブチレンテレフタレート繊維や自然にテーパー形状となっている獣毛等を穂先に製作した場合においては、デザイン上や使用性から軸の径が決定され、ついで太い穂先基部８が決まり、ブラシや筆の穂先ボリュームは必然的な結果として決まってしまうのである。
【００１４】
次に本発明の実施例であるブラシ、筆の形状を図面に基づいて説明する。
図１はストレートの繊維を筆の所定量に小分けして、端面１ｂを溶着してブラシまたは筆の穂１ａに加工したものである。
図２は図１の穂１ａの繊維１本の拡大図であり、繊維１ｃの先端１ｄはテーパー形状に細く加工されていない状態で示されている。
図３は穂１ａの個々の繊維がテーパー形状に先端を細く加工され、穂１ａが先軸ｃに装填され、先軸ｃに軸ｄが圧入固定された状態となっている。
穂１ａの溶着部１ｂの外周部が先軸ｃの縁部に保持され、先軸ｃより離脱しない構造となっている。
穂１ａの穂先先端ｉは穂先を構成する個々の繊維が穂先先端ｉに向かってテーパー形状に細く加工されている為、錐の先端のように一点に収束した状況となっている。
【００１５】
図４は図３の穂１ａを構成する繊維１本を図示したものであり、１本の繊維ｅは穂先先端ｉに該当する先端部ｈで微細に細くテーパー形状に加工されている。繊維ｅの中間部ｇは適度に太くなり、末端部ｆは元の繊維形状であるストレート形状となっている。
【００１６】
以下に図３の実施例でアイライナー筆を実際に製作した事例において、数値を記載しながら説明する。
図８はアイライナーの穂先１ａが先軸ｃに組み付けられている状態であり、図９は図８の穂先１ａから代表的な繊維１本を抜き取り図示した繊維１本の形状図である。
この穂先１ａは図１の穂先１ａのようにストレート繊維によって製作されていたものを図３の穂先１ａや図８の穂先１ａのように、構成される繊維全てをテーパー形状に加工して、穂先１ａの先端部ｉのように微細に細くしてアイライナー筆にしたものである。
図８のアイライナー筆の実施例では、表１に示される寸法構成で良好なアイライナー筆としての筆記性を発揮した。
【００１７】
【表１】
2004065783.tif 000003
【００１８】
書道用の小筆、アイライナー筆等は、１ミリ幅から更に微細なラインを描く機能が要求され、細いラインを描く為、細い筆（４ｍｍ径以内程度）で穂先先端が針状に収束し、使用時に穂先先端がまとまって（個々の繊維が密着して）細いラインが描けなければならない。
また、ラインを描くときには適度の剛性を必要とするので、穂先先端のまとまりと剛性が必要となる。繊維の物性、繊維の太さ、軸前端から突出した穂先の元径、穂先全長は、材料の調達事情、液の含み等の諸条件、デザイン等の関係で変更するには限界がある。発明者は、研究の成果として穂先のまとまりと剛性をバランスよく設定できる変数として、穂を構成する基部後端から前方に向かってどの基点からテーパー形状に先鋭加工するかを決定することで達成できることを見いだした。なお、繊維は、真円や真円に近い断面形状を有するものだけでなく、異形の断面形状を有したものでもかまわない。
【００１９】
【発明の効果】
本発明は、最適な使用性能を有したブラシまたは筆の穂を、用途に合わせて繊維のテーパー形状をコントロールすることによって容易に提供可能となる。
また、従来技術の前提となっている天然にテーパー形状になっている獣毛や、テーパー形状に加工されたポリブチレンテレフタレート繊維を素材として、労働集約的にブラシや筆を生産する家内工業的手法から脱却して、現代の工業化社会にふさわしいブラシや筆を工業的に提供することが可能になる。
また、部材に金属の使用を止めることが可能となり、地球環境維持の為のゴミ分別収集等の社会の流れにも貢献でき、さらには、獣毛をブラシや筆の素材に使用しない為、動物愛護の観点からも貢献できることになる。
【図面の簡単な説明】
【図１】本発明の実施例であるブラシまたは筆にの穂に於いて、先ずストレートの繊維束を筆の所定量に小分けして、その後端面を溶着した状態を示す図である。
【図２】ストレートの繊維１本の拡大図である。
【図３】個々の繊維がテーパー形状に先端を細く加工され、その繊維束の穂先が先軸に固定された状態を示す図である。
【図４】図３の穂を構成する繊維１本の拡大図である。
【図５】従来のブラシまたは筆用の穂がテーパー形状に加工された状態図である。
【図６】従来の穂を構成する繊維１本の拡大図である。
【図７】従来技術による繊維束の穂先が先軸に固定された状態を示す図である。
【図８】実施例によるアイライナーの穂先が先軸に組み付けられている状態図である。
【図９】図８の穂先を構成する繊維１本の拡大図である。
【符号の説明】
１　　　　穂
２　　　　後端部
３　　　　穂先先端
４　　　　繊維
５　　　　後端部
６　　　　先端部
７　　　　穂先
８　　　　穂先基部
９　　　　先端部
１０　　　軸
１１　　　軸前端部
１２　　　結束部
１３　　　取付け部
１４　　　テーパー部
１５　　　金属パイプ前端
１６　　　金属パイプ
１ａ　　　　　穂
１ｂ　　　溶着部
１ｃ　　　繊維
１ｄ　　　先端
ｃ　　　　先軸
ｄ　　　　柄または軸
ｅ　　　　繊維
ｆ　　　　末端部
ｇ　　　　中間部
ｈ　　　　先端部
ｉ　　　　穂先先端
【図１】
2004065783.tif 000004
【図２】
2004065783.tif 000005
【図３】
2004065783.tif 000006
【図４】
2004065783.tif 000007
【図５】
2004065783.tif 000008
【図６】
2004065783.tif 000009
【図７】
2004065783.tif 000010
【図８】
2004065783.tif 000011
【図９】
2004065783.tif 000012